(57)【特許請求の範囲】
【請求項１】
複数の衝突壁部およびミスト噴出口を有するケースと、
このケース内に液体を供給するための液体供給手段と、
前記ケース内に収容された回転板を有し、かつ前記液体供給手段から供給されてきた液体を前記回転板によって前記複数の衝突壁部に飛散させて衝突させることによりミストを発生させるためのロータと、
を備えている、ミスト発生装置であって、
前記ミスト噴出口は、前記ケースの周壁部に形成され、かつ前記複数の衝突壁部どうしの隙間に連通していることにより、前記ミストを前記ケースの周壁部の周囲に噴出可能であり、
前記ケースは、その底部に液体を貯留可能であるとともに、前記ロータは、前記底部に液体が存在するときにこの液体を前記回転板の高さまで汲み上げて前記複数の衝突壁部に向けて飛散させることを可能とする軸状部を有しており、
前記ケースの周壁部には、前記複数の衝突壁部のうち、互いに隣り合う一対の衝突壁部とこれら一対の衝突壁部どうしを繋ぐ側壁部とによって規定された内向き開口状の凹溝部が形成されており、
前記液体供給手段は、前記ケースの上方から前記凹溝部を介して前記ケースの底部に液体供給が可能な構成とされていることを特徴としている、ミスト発生装置。
【請求項２】
複数の衝突壁部およびミスト噴出口を有するケースと、
このケース内に液体を供給するための液体供給手段と、
前記ケース内に収容された回転板を有し、かつ前記液体供給手段から供給されてきた液体を前記回転板によって前記複数の衝突壁部に飛散させて衝突させることによりミストを発生させるためのロータと、
を備えている、ミスト発生装置であって、
前記ミスト噴出口は、前記ケースの周壁部に形成され、かつ前記複数の衝突壁部どうしの隙間に連通していることにより、前記ミストを前記ケースの周壁部の周囲に噴出可能であり、
前記ケースは、その底部に液体を貯留可能であるとともに、前記ロータは、前記底部に液体が存在するときにこの液体を前記回転板の高さまで汲み上げて前記複数の衝突壁部に向けて飛散させることを可能とする軸状部を有しており、
前記液体供給手段は、前記ケースの上方から前記回転板上に液体供給を行なうように構成されていることを特徴とする、ミスト発生装置。
【請求項３】
浴室の上部に設置されて、前記浴室の空調を行なうのに用いられる浴室空調装置であって、
請求項１または２に記載のミスト発生装置を備えていることを特徴とする、ミスト発生装置を備えた浴室空調装置。
【発明の詳細な説明】
【技術分野】
【０００１】
本発明は、駆動回転するロータを利用して液体のミスト化を図るタイプのミスト発生装置、およびこれを備えた浴室空調装置に関する。
【背景技術】
【０００２】
ロータを利用したタイプのミスト発生装置の具体例としては、特許文献１に記載のものがある。同文献に記載されたミスト発生装置は、浴室の床上などに設置されるケース内に、モータにより駆動回転される円板を備えたロータが設けられており、前記円板上にその上方から水が供給されると、この水は遠心力によって前記円板の周囲に飛散し、前記円板の周囲に配された複数の衝突壁部に衝突するように構成されている。この衝突により、水の微細水滴化が図られ、ミストが発生する。このミストは、前記ケースの上面部に形成されている開口部を通過してその上方に吹き出す。
【０００３】
しかしながら、前記従来技術においては、次に述べるように、解決すべき点があった。
【０００４】
すなわち、前記従来技術おいて、ミストはケースの上方に向けて吹き出すようにされており、このミストの吹き出し方向は、重力に逆らう方向である。このため、ミスト発生装置を浴室の床上に設置した状態において、ミストを浴室の高い位置まで上昇させることは難しく、浴室または浴室の一部の領域に多くのミストを効率良く供給させて充満させるといったことも難しいものとなっていた。
【０００５】
本発明者らは、前記した不具合を改善する策として、ロータを具備したミスト発生装置を浴室の天井部などに設置し、このミスト発生装置によって発生させたミストを浴室の上部から下方に進行させることを着想した。ところが、前記従来のミスト発生装置は、前述したようにミストがケースの上方に向けて吹き出すために、この装置を単に浴室の上部に設置しただけでは、ミストを浴室に効率よく供給することは困難であり、このようなことを解消する必要がある。また、ミスト発生装置を浴室の上部に設置した場合には、このミスト発生装置に供給される水のうち、ミスト化されなかった水が下方に滴下しないようにする必要があり、この点においても適切な対応策を採る必要がある。さらに、ミスト発生装置に給水を行なう場合、この給水経路にミストが当たると、この部分に多くの水滴が発生し、これが浴室に滴下するような虞もあり、このようなことも好適に回避する必要がある。
【０００６】
【特許文献１】特開平８−１８２７２７号公報
【発明の開示】
【発明が解決しようとする課題】
【０００７】
本発明は、前記したような事情のもとで考え出されたものであって、浴室などの所望のミスト供給対象領域の上方に設置して使用される場合に、ミスト発生に利用される液体などがその領域に滴下するといった不具合を適切に抑制しつつ、前記領域へのミスト供給を効率良く行なうことが可能なミスト発生装置、およびこれを備えた浴室空調装置を提供することを、その課題としている。
【課題を解決するための手段】
【０００８】
上記の課題を解決するため、本発明では、次の技術的手段を講じている。
【０００９】
本発明の第１の側面により提供されるミスト発生装置は、複数の衝突壁部およびミスト噴出口を有するケースと、このケース内に液体を供給するための液体供給手段と、前記ケース内に収容された回転板を有し、かつ前記液体供給手段から供給されてきた液体を前記回転板によって前記複数の衝突壁部に飛散させて衝突させることによりミストを発生させるためのロータと、を備えている、ミスト発生装置であって、前記ミスト噴出口は、前記ケースの周壁部に形成され、かつ前記複数の衝突壁部どうしの隙間に連通していることにより、前記ミストを前記ケースの周壁部の周囲に噴出可能であり、前記ケースは、その底部に液体を貯留可能であるとともに、前記ロータは、前記底部に液体が存在するときにこの液体を前記回転板の高さまで汲み上げて前記複数の衝突壁部に向けて飛散させることを可能とする軸状部を有しており、前記ケースの周壁部には、前記複数の衝突壁部のうち、互いに隣り合う一対の衝突壁部とこれら一対の衝突壁部どうしを繋ぐ側壁部とによって規定された内向き開口状の凹溝部が形成されており、前記液体供給手段は、前記ケースの上方から前記凹溝部を介して前記ケースの底部に液体供給が可能な構成とされていることを特徴としている。
【００１０】
このような構成によれば、次に述べるような効果が得られる。
【００１１】
第１に、ロータから複数の衝突壁部に液体が飛散することにより発生したミストは、その後複数の衝突壁部どうしの隙間に連通しているミスト噴出口を通過し、ケースの周壁部の周囲に噴出される。このため、ミスト発生装置をミスト供給対象領域の上方に設置した場合には、ケースの周囲に噴出したミストの多くをそのミスト供給対象領域に向けてその上方側から下降させて効率良く供給することが可能であり、ミスト供給対象領域を多くのミストで満たすといったことが簡易な構成により実現できる。
【００１２】
第２に、ロータは、ケースの底部に貯留された液体を軸状部が回転板まで汲み上げてから複数の衝突壁部に向けて飛散させるように構成されているために、飛散した液体のうち、ケースの外部に噴出されなかった液体がケースの底部に回収されると、この液体はロータの軸状部によって汲み上げられて、ミスト化を図るのに再利用されることとなる。したがって、ケースの外部に噴出されなかった液体の処理に苦慮して、これがケースの下方に滴下するといったことも適切に回避することができる。
【００１３】
第３に、ケースの底部への液体供給は、一対の衝突壁部を利用して形成された凹溝部を介してケースの上方から行なわれるように構成されている。このため、たとえばケースの一側方に配された液体供給用の配管を用いてケース内に液体供給を行なう場合とは異なり、ケースの外部に噴出したミストが液体供給用の配管に接触して水滴が発生し、これがその下方に滴下するといった不具合も生じないようにすることができる。また、凹溝部を利用した液体供給を行なわせれば、この液体供給がたとえばロータ回転時の風圧などによって乱されることがなく、ケースの底部に向けて液体を安定して導くことができる。
【００１４】
本発明の第２の側面により提供されるミスト発生装置は、複数の衝突壁部およびミスト噴出口を有するケースと、このケース内に液体を供給するための液体供給手段と、前記ケース内に収容された回転板を有し、かつ前記液体供給手段から供給されてきた液体を前記回転板によって前記複数の衝突壁部に飛散させて衝突させることによりミストを発生させるためのロータと、を備えている、ミスト発生装置であって、前記ミスト噴出口は、前記ケースの周壁部に形成され、かつ前記複数の衝突壁部どうしの隙間に連通していることにより、前記ミストを前記ケースの周壁部の周囲に噴出可能であり、前記ケースは、その底部に液体を貯留可能であるとともに、前記ロータは、前記底部に液体が存在するときにこの液体を前記回転板の高さまで汲み上げて前記複数の衝突壁部に向けて飛散させることを可能とする軸状部を有しており、前記液体供給手段は、前記ケースの上方から前記回転板上に液体供給を行なうように構成されていることを特徴としている。
【００１５】
このような構成によれば、本発明の第１の側面により提供されるミスト発生装置と同様に、ミスト噴出口からケースの周壁部の周囲にミストを噴出させることができるために、ミスト発生装置をミスト供給対象領域の上方に設置した場合に、その対象領域に対してその上方からミストを効率良く供給することができる効果が得られる。また、回転板から飛散した液体のうち、ケースの外部に噴出されなかった液体がケースの底部に回収されると、この液体をロータの軸状部によって汲み上げてミスト化に再利用することができ、ケース外部に噴出されなかった液体の処理を容易かつ適切に行なう効果も得られる。加えて、液体供給手段によるロータへの液体供給は、ケースの上方から回転板上になされるために、この液体供給手段についても、ミスト噴出口から噴出されるミストが当たらないようにすることができる。したがって、液体供給手段にミストが当たることによって発生した液体がその下方に滴下することも適切に防止される。
【００１６】
本発明の第３の側面により提供されるミスト発生装置を備えた浴室空調装置は、浴室の上部に設置されて、前記浴室の空調を行なうのに用いられる浴室空調装置であって、本発明の第１または第２の側面により提供されるミスト発生装置を備えていることを特徴としている。
前記浴室空調装置は、たとえば、浴室の上部に設置されるケースと、浴室の空気を前記ケース内に吸入させて送風口から浴室に吹き出すファンと、このファンの駆動により前記ケース内に吸入された空気を調整するための空気調整手段と、を備えた構成とすることができる。
【００１７】
このような構成によれば、本発明の第１または第２の側面により提供されるミスト発生装置について述べたのと同様な効果が得られる。また、浴室空調装置をミスト発生装置のブラケットとして利用し、ミスト発生装置の施工作業の省略化あるいは簡略化などを図ることもできる。
【００１８】
本発明のその他の特徴および利点は、添付図面を参照して以下に行なう発明の実施の形態の説明から、より明らかになるであろう。
【発明を実施するための最良の形態】
【００１９】
以下、本発明の好ましい実施の形態について、図面を参照して具体的に説明する。
【００２０】
図１〜図６は、本発明が適用されたミスト発生装置を備えた浴室空調装置、およびこれに関連する構成の一例を示している。図１に示す浴室空調装置Ａは、浴室暖房乾燥機として構成されており、ユニットバスなどの浴室の天井部８０に取り付けられている。浴室空調装置Ａのパネル４１には、ミスト発生装置ＭＧが取り付けられている。
【００２１】
図２によく表われているように、ミスト発生装置ＭＧは、ケース１、回転板２０を有するロータ２、このロータ２の駆動回転用のモータＭ、およびミスト発生用の水をケース１内に供給するための給水管９２を備えている。
【００２２】
ケース１は、合成樹脂製であり、その全体の概略形状は、上部が開口した平面視円形のカップ状である。このケース１は、その上部に設けられた複数のネジ孔１０とこれらに螺合するネジ体９０とを利用してパネル４１の下面部に取り付けられている。このケース１には、複数の衝突壁部１２、複数のミスト噴出口１３、貯液部１４、および凹溝部１８が設けられている。
【００２３】
複数の衝突壁部１２は、ロータ２が回転して回転板２０からその周囲に水が飛散したときにこの水を衝突させるための部位であり、この衝突によりミストを的確に発生させることができる。図３に示すように、複数の衝突壁部１２は、ケース１の中心軸周りに略等間隔で放射状に並んだリブ状である。互いに隣り合う衝突壁部１２どうしの隙間はケース１の周囲に向けて開口しており、この開口部分がミスト噴出口１３である。複数の衝突壁部１２に水が衝突して発生したミストは、このミスト噴出口１３をそのまま通過してケース１の周囲に噴出する。図２および図４に示すように、貯液部１４は、ケース１の底部に形成されており、この貯液部１４には適当量の水を貯留可能である。
【００２４】
凹溝部１８は、図３に示すように、互いに隣り合う一対の衝突壁部１２ａと、これら一対の衝突壁部１２ａの外面側どうしを繋いでそれらの間の開口部を塞ぐように設けられた側壁部１８ａとによって規定されており、ケース１の内側（中心側）を向いて開口している。ケース１の上部のうち、凹溝部１８の上部に相当する箇所には、図５に示すような切欠き開口部１８ｂが形成されており、凹溝部１８の上部は上向きにも開口している。
【００２５】
図２に示すように、給水管９２は、パネル４１をその上方から下向きに貫通して、凹溝部１８の上部に差し込まれており、この凹溝部１８に給水が可能に設けられている。凹溝部１８に給水がなされると、この水はケース１の底部の貯液部１４に流れ込む。給水管９２には、給水のオン・オフ、あるいは流量調整を行なうためのバルブＶ１が設けられている。このバルブＶ１、給水管９２、および凹溝部１８の組み合わせ構造は、本発明でいう液体供給手段の一例に相当している。
【００２６】
ロータ２は、モータＭの駆動軸３０に支持されてケース１内に収容されており、前記した回転板２０に加えて、この回転板２０の中央部から下向きに突出した揚水用の軸状部２１を有している。ロータ２の各部は、たとえば合成樹脂製であるが、これに限定されない。軸状部２１は、上部寄りの部分ほど大径となる円錐状または円錐台状であり、その下部は、ケース１の底部に設けられた排水用の孔部１６に挿通している。排水用の孔部１６の内周面と軸状部２１の外周面との間には、たとえば１〜３ｍｍほどの隙間が形成されている。ロータ２の回転時には、後述する原理により、貯液部１４の水が孔部１６から漏れることはなく、貯液部１４の一部の水は軸状部２１の外周面に沿った水膜となって上昇し、回転板２０の下面まで汲み上げられる。すると、この水は、遠心力により、回転板２０の中央寄り領域から外周方向に向けて加速され、この回転板２０の周囲に飛散する。
【００２７】
図６は、前記した動作の原理説明図である。同図を参照して、軸状部２１の外周面上に水膜が形成されて上昇する原理をまず説明する。
軸状部２１の外周面上の水膜の微小要素ΔＷについて考察すると、前記外周面と直交する方向には、軸状部２１の外周面に対する水の付着力Ｆが生じている。また、微小要素ΔＷの質量をｍとすると、鉛直方向の下向きにはｍｇが作用するが、これは、分力ｍｇn，ｍｇtに分解することができる。水平方向には、遠心力Ｃ（Ｃ＝ｍｒω2，ｒ：偏心距離，ω：角速度)が作用するが、これは分力Ｃn，Ｃtに分解することができる。微小要素ΔＷが軸状部２１の外周面から吹き飛ばされないためには、次の式（１）の釣り合い関係があればよい。
Ｆ＝Ｃn＋ｍｇn    式（１）
ここで、微小要素ΔＷの質量ｍは、ｍ≒０であるために、ｍｇnは小さく、また遠心力Ｃおよびその分力Ｃn、についても小さくし、前記の式（１）を満足させることが可能である。
また、微小要素ΔＷが上昇するためには、次の式（２）の関係があればよい。
Ｃt＞ｍｇt   式（２）
ここで、ｍｇnは小さい一方、Ｃtについては、たとえばロータ２の回転速度を高めて、角速度ωを大きくすることによりその値を増大させることができる。したがって、前記の式（２）についても満足させることができる。
このように、前記した式（１），（２）を満足させるようにロータ２を高速回転させれば、貯液部１４の水を軸状部２１の外周面に沿って上昇させるポンピング作用を得ることができる。
【００２８】
一方、排水用の孔部１６の内周面と軸状部２１の外周面との間、およびその近傍に位置する微小要素ΔＷ’についても、前記したのと同様な力が作用している。このため、前記した分力Ｃtと同様な分力Ｃt’が微小要素ΔＷ’を上昇させる力として働く。この作用により、ロータ２の回転時には、貯液部１４の水が孔部１６の隙間からその下方に漏出しないようにすることができる。もちろん、ロータ２の回転を停止させると、貯液部１４の水は孔部１６から下方に漏出する。
【００２９】
図２および図５に示すように、ケース１には、このケース１内にその下方から外部空気を流入させるための複数の空気流入口１５も設けられている。ロータ２が高速回転する際には、その周囲の空気が乱流となり、この乱流がミストの発生動作を乱し、ミストの粒径にばらつきを生じさせる要因となる。これに対し、複数の空気流入口１５からケース１内に外部空気を供給すれば、前記した乱流を抑制することが可能である。ケース１の底部またはその近傍には、上向きに起立した筒状部１５ａが設けられており、この内部が空気流入口１５である。このような構成によれば、空気流入口１５の上部を貯液部１４の水面レベルよりも高くし、貯液部１４の水が空気流入口１５からケース１の下方に流れ落ちないようにすることができる。
【００３０】
モータＭは、パネル４１上に取り付けられている。このモータＭは、バルブＶ１と同様に、マイクロコンピュータなどを用いて構成された制御部７（図１を参照）により制御される。好ましくは、モータＭの取り付け箇所には、外部空気をケース１内にその上方側から流入させることが可能な空気流通路３３が設けられている。この空気流通部３３は、たとえばモータＭを支持する板部３１とパネル４１との間にスペーサ３２を介在させて形成された隙間３３ａと、パネル４１に形成され、かつ隙間３３ａを通過してきた外部空気をケース１内に流入させる開口部３３ｂとを含んで構成されている。この空気流通部３３を介してロータ２の上方領域にも外部空気が供給されるために、ロータ２の周囲に乱流が生じることはより抑制される。
【００３１】
図１に示すように、この浴室空調装置Ａは、ケース４、ファン５０、および空気調整手段としてのエア加熱用の熱交換器５１を備えている。ケース４は、ファン５０および熱交換器５１を内部に収容し、かつ浴室の天井板８０の上面側に設置される下部開口状のケース本体部４０と、これとは別体のパネル４１とを有している。パネル４１は、天井板８０に形成された開口部８０ａおよびケース本体部４０の下部開口部を塞ぐように、天井板８０に取り付けられている。このパネル４１には、給気口４１ａと、送風口４１ｂを有するルーバ４２とが設けられている。
【００３２】
この浴室空調装置Ａは、ファン５０が駆動すると、給気口４１ａからケース４内に空気が吸入され、この空気が熱交換器５１により加熱されるようにされている。熱交換器５１は、たとえば内部に加熱湯水が流通可能とされたフィン付の複数のチューブを用いて構成されており、ファン５０による吸入空気はこれら複数のチューブ間を通過する際に加熱される。この加熱された空気は、ルーバ４２までガイドされてその送風口４１ｂから吹き出される。ミスト発生装置ＭＧのケース１は、ルーバ４２の側方に位置している。
【００３３】
次に、ミスト発生装置ＭＧを備えた浴室空調装置Ａの作用について説明する。
【００３４】
まず、ミスト発生装置ＭＧを運転させる場合には、バルブＶ１を開き、給水管９２から貯液部１４に対する給水を開始するとともに、モータＭを駆動させる。貯液部１４に貯留された水の一部は、既述したように、ロータ２の軸状部２１の回転作用によってこの軸状部２１の外周面に沿って回転板２０の下面まで上昇してからその周囲に飛散し、複数の衝突壁部１２に衝突する。この衝突によって発生したミストは、複数のミスト噴出口１３を通過し、ケース１の周壁部の周囲に噴出する。
【００３５】
前記したミストの噴出時において、たとえば図１に示すように、浴室空調装置Ａの送風口４１ｂからケース１の下方または下方近傍に向けて加熱空気を吹き出させると、ケース１の周囲に噴出したミストは、前記加熱空気によって加熱されるとともに、この加熱空気の流れに乗って浴室内の一定領域に送られる。したがって、ユーザは、暖かいミストを集中して浴びることができる。熱交換器５１の加熱動作を停止させておけば、非加熱のミストを浴びることができ、夏季などにおいて清涼感が得られる。これらとは異なり、浴室空調装置Ａの運転を停止させて、送風口４１ｂからの送風が停止された状態でミスト発生装置ＭＧを単独で使用することも可能である。この場合には、ケース１の周囲に噴出されたミストが自然落下するだけであるが、このような態様でのミスト供給も趣向に富んだものとなる。本実施形態に示すように、ミスト発生装置ＭＧを浴室の上部に設置し、かつこのミスト発生装置ＭＧのケース１の周囲にミストを噴出させるようにすれば、浴室の全体または一部の領域に対して多くのミストを効率良く供給することができる。
【００３６】
ロータ２から複数の衝突壁部１２に向けて飛散した水のなかには、ケース１の外部に噴霧されないものもある。このような水は、ケース１の内壁面を伝って貯液部１４に戻される。すると、このような水はロータ２の軸状部２１によって回転板２０の下面に汲み上げられてから、ミスト発生に再利用されることとなる。したがって、ミストとして外部に噴出されなかった水の処理に苦慮し、この水がケース１の下方に滴下するといった不具合も適切に回避される。また、水の利用率が高まり、その消費量が抑制される効果も得られる。
【００３７】
給水管９２からケース１内への給水は、ケース１の上方から行なわれており、給水管９２にはミストが吹きつけられないように構成されている。本実施形態とは異なり、給水管９２がケース１の側方に配置されてミストが吹きつけられたのでは、この部分に水滴が発生して下方に滴下することとなるが、本実施形態によれば、そのような不具合も適切に回避される。また、給水管９２からケース１内に供給された水は、凹溝部１８を通って貯液部１４に導かれるために、貯液部１４への給水も確実化される。たとえば、給水管９２の下端先端から流れ出た水が回転板２の高速回転に伴って生じる風圧などによってミスト噴出口１３からケース１の外部に吹き飛ばされるといった不具合も適切に回避される。
【００３８】
ミスト発生装置ＭＧの運転を停止させる場合、ロータ２の回転を直ちに停止させることによって、貯液部１４の水を孔部１６から下方に排出させることが可能である。ただし、これでは、入浴者の身体に前記の水が掛かる虞がある。これを回避する手段として、運転オフの操作がなされたときには、バルブＶ１を閉状態してケース１内への給水を停止させるものの、モータＭについてはその後も暫くの間は継続して駆動させればよい。このことにより、貯液部１４の水がミスト化して消費される動作が継続されることとなり、貯液部１４の水の略全量をケース１の外部にミスト化して排出することができる。また、貯液部１４への給水を停止させた際には、浴室空調装置Ａの送風口４１ｂからケース１に対して温風を送風させると、このケース１を短時間で適切に乾燥させることができる。ミスト発生装置ＭＧは、浴室の上部に配置されているために、その運転停止時において、たとえばシャワー水が掛けられ、この水がケース１内に進入する場合がある。これに対し、このケース１の底部には、孔部１６が設けられ、その内周面とロータ２の軸状部２１との間には水が容易に通過可能な隙間が形成されている。したがって、この部分から前記の水を適切に排出することができる。その結果、運転停止時に、ケース１内に水が溜まったままになることは好適に防止され、ケース１内を衛生に優れたものとすることもできる。
【００３９】
図７および図８は、本発明の他の実施形態を示している。これらの図において、前記実施形態と同一または類似の要素には、前記実施形態と同一の符号を付している。
【００４０】
図７に示す実施形態においては、給水管９２からの給水が、回転板２の上面の中心寄り領域に行なわれるように構成されている。給水管９２は、たとえばパネル４１の上方から、モータＭを支持する板部３１とパネル４１との隙間３３ａ、およびパネル４１の開口部３３ｂに通されていることにより、その先端部が回転板２の直上に配置されている。
【００４１】
本実施形態によれば、回転板２の回転時において、その上面に給水がなされると、この水は直ちに回転板２の周囲に飛散して複数の衝突壁部１２に衝突し、ケース１の周囲にミストが噴出される。ケース１の外部に噴出されなかった水は、ケース１の底部の貯液部１４に回収された後に、ロータ２の軸状部２１によって回転板２の下面まで汲み上げられる。このため、回転板２の下面側からも複数の衝突壁部１２に向けて水が飛散することとなる。したがって、本実施形態においても、ケース１の外部に噴出されなかった水の処理に苦慮することが回避される効果が得られる。加えて、回転板２０の上下両面から水を飛散させることができるために、ミスト発生量を多くする効果も得られる。また、本実施形態においても、前記実施形態と同様に、給水管９２にミストが吹きつけられないようにすることができ、給水管９２へのミストの吹きつけに起因して発生する水滴が下方に滴下する不具合も適切に回避される。
【００４２】
図８に示す実施形態においては、ロータ２の軸状部２１が孔部２１０を有するパイプ状である。本実施形態においては、ロータ２が回転すると、軸状部２１の孔部２１０内に位置する水が遠心力の作用によって孔部２１０の内周面に沿った膜状となって上昇し、回転板２０の上面に到達する。すると、この水は回転板２０の上面からその周囲に向けて飛散することとなる。本発明でいうロータの軸状部としては、本実施形態で示したような構成とすることもできる。もちろん、図１〜図７の実施形態で示されたタイプのロータ２を用いる場合、その軸状部２１がケース１の底部を貫通しない構成とすることもできる。
【００４３】
本発明は上述した実施形態に限定されない。本発明に係るミスト発生装置、およびこれを備えた浴室空調装置の各部の具体的な構成は、種々に設計変更自在である。
【００４４】
ミスト発生装置の複数の衝突壁部およびミスト噴出口は、必ずしもケースの周壁部の全周にわたって設けられていなくてもよく、一部の領域にはそれらをあえて設けないようにしてもよい。ケース内またはロータへの液体供給は、液体を連続して供給することに代えて、間欠的に供給することもできる。
【００４５】
本発明に係るミスト発生装置は、図１に示したような天井取り付けタイプの浴室空調装置に代えて、たとえば浴室の側壁に取り付けられるいわゆる壁掛けタイプの浴室空調装置に取り付けて使用することも可能である。また、これとは異なり、ミスト発生装置を浴室の天井部などに直接取り付けて、浴室空調装置の有無には関係なく、それ単独で使用することもできる。本発明に係るミスト発生装置は、浴室（シャワールームを含む）でのミスト発生に好適であるが、これ以外の箇所に設置して、所望の液体の噴霧用途に用いることも可能である。
【図面の簡単な説明】
【００４６】
【図１】本発明に係るミスト発生装置を備えた浴室空調装置の一例を示す概略断面図である。
【図２】図１に示されたミスト発生装置の要部断面図である。
【図３】図２のIII−III要部平面断面図である。
【図４】図３のIV−IV断面図である。
【図５】図２に示されたミスト発生装置で用いられているケースの平面図である。
【図６】図２に示されたミスト発生装置において水が軸状部によって汲み上げられる作用の原理説明図である。
【図７】本発明に係るミスト発生装置の他の例を示す要部断面図である。
【図８】本発明に係るミスト発生装置の他の例を示す要部断面図である。
【符号の説明】
【００４７】
Ａ      浴室空調装置
ＭＧ    ミスト発生装置
Ｍ      モータ
１      ケース（ミスト発生装置の）
２      ロータ
４      ケース（浴室空調装置の）
１２    衝突壁部
１３    ミスト噴出口
１４    貯液部
１８    凹溝部
１８ａ  側壁部
２０    回転板
２１    軸状部
９２    給水管
【図１】
0005105058.tif 000002
【図２】
0005105058.tif 000003
【図３】
0005105058.tif 000004
【図４】
0005105058.tif 000005
【図５】
0005105058.tif 000006
【図６】
0005105058.tif 000007
【図７】
0005105058.tif 000008
【図８】
0005105058.tif 000009